(57)【要約】【課題】本発明は、車の鍵の機能を有し、且つ携帯し易い手持装置を提供することを目的とする。【解決手段】本発明に係る手持装置は、第一部品及び第二部品を備える。前記第一部品は、車をコントロールするために用いられ、且つ前記第二部品と通信し、前記第二部品はユーザーの操作に従って対応する操作指令を生成し、且つこの操作指令を前記第一部品に送信し、前記第一部品は前記操作指令に応じて対応する機能を実行し、且つ対応する情報を生成して前記第二部品に送信し、前記第二部品は前記情報を出力する。【選択図】図１
2014036441.tif 000002
【特許請求の範囲】
【請求項１】
第一部品及び第二部品を備える手持装置であって、前記第一部品は車をコントロールするために用いられ、且つ前記第二部品と通信し、前記第二部品はユーザーの操作に従って対応する操作指令を生成し、且つこの操作指令を前記第一部品に送信し、前記第一部品は前記操作指令に応じて対応する機能を実行し、且つ対応する情報を生成して前記第二部品に送信し、前記第二部品は前記情報を出力することを特徴とする手持装置。
【請求項２】
前記第一部品は前記第二部品と互いに分離可能に連接されることを特徴とする請求項１に記載の手持装置。
【請求項３】
前記第一部品は無線通信モジュールを備え、前記無線通信モジュールは複数の無線通信ユニットと、ＳＩＭカードと電気的に接続するためのＳＩＭカード用コネクタと、を含み、
前記第一部品は前記操作指令に応じて、前記無線通信ユニット及び前記ＳＩＭカードを介して、ネットワークと通信して対応する機能を実行することを特徴とする請求項１に記載の手持装置。
【請求項４】
前記無線通信モジュールは前記第一部品の内部に取り外し可能に装着されることを特徴とする請求項３に記載の手持装置。
【請求項５】
前記第一部品には前記無線通信モジュールと電気的に接続するための接続ポートが設けられていることを特徴とする請求項４に記載の手持装置。
【請求項６】
前記無線通信モジュールはメモリー及びデータ処理ユニットをさらに備え、前記メモリーは複数のユーザー応用プログラムを格納し、前記データ処理ユニットは前記操作指令に応じて対応するユーザー応用プログラムを呼び出して対応する機能を実行することを特徴とする請求項３に記載の手持装置。
【請求項７】
無線通信モジュールと、第一部品と、第二部品と、を備える手持装置であって、
前記無線通信モジュールは前記第一部品及び前記第二部品の内部に選択可能に装着され、前記第一部品は第一無線通信ユニットを備え、前記無線通信モジュールはデータ処理ユニットを備え、前記第一無線通信ユニットは前記第二部品が生成した操作指令を受信し、前記データ処理ユニットは前記操作指令に応じて対応する機能を実行し、且つ情報を生成し、
また、前記第一無線通信ユニットは前記情報を前記第二部品に送信し、且つ第二部品を介して前記情報を出力させることを特徴とする手持装置。
【請求項８】
前記無線通信モジュールは、第二無線通信ユニットと、ＳＩＭカードと電気的に接続するためのＳＩＭカード用コネクタと、をさらに含み、前記データ処理ユニットは前記操作指令に応じて、前記第二無線通信ユニット及び前記ＳＩＭカードを介してネットワークと通信して、対応する機能を実行することを特徴とする請求項７に記載の手持装置。
【請求項９】
前記無線通信モジュールはメモリーをさらに備え、前記メモリーは複数のユーザー応用プログラムを備え、前記データ処理ユニットは前記操作指令に応じて対応するユーザー応用プログラムを呼び出して対応する機能を実行することを特徴とする請求項７に記載の手持装置。
【発明の詳細な説明】
【技術分野】
【０００１】
本発明は、手持装置に関し、特に車を起動する機能を有する手持装置に関するものである。
【背景技術】
【０００２】
既存の車にはリモコン式キーが配備されている。特に常に運転する人々にとって、車の鍵及び携帯電話機は日々携帯するのにかかせないものである。人々は多くの場合、車の鍵及び携帯電話機をカバン、ポケットなどに入れるなどして携帯する。しかし、車の鍵及び携帯電話機のサイズが大きいほど携帯に不便であり、携帯電話機の機能と車の鍵の把持部の手触りとが確保されている前提下で、該サイズをできるだけ小さくするのが、現在の課題である。
【発明の概要】
【発明が解決しようとする課題】
【０００３】
本発明は、車の鍵の機能を有し、且つ携帯し易い手持装置を提供することを目的とする。
【課題を解決するための手段】
【０００４】
上記の課題を解決するために、本発明に係る手持装置は、第一部品及び第二部品を備える。前記第一部品は車をコントロールするために用いられ、且つ前記第二部品と通信し、前記第二部品はユーザーの操作に従って対応する操作指令を生成し、且つこの操作指令を前記第一部品に送信し、前記第一部品は前記操作指令に応じて対応する機能を実行し、且つ対応する情報を生成して前記第二部品に送信し、前記第二部品は、前記情報を出力する。
【０００５】
また、上記の課題を解決するために、本発明に係る手持装置は、無線通信モジュールと、第一部品と、第二部品と、を備える。前記無線通信モジュールは前記第一部品及び前記第二部品の内部に選択可能に装着され、前記第一部品は第一無線通信ユニットを備え、前記無線通信モジュールはデータ処理ユニットを備え、前記第一無線通信ユニットは前記第二部品が生成した操作指令を受信し、前記データ処理ユニットは前記操作指令に応じて対応する機能を実行し、且つ情報を生成し、また、前記第一無線通信ユニットは前記情報を前記第二部品に送信し、且つ第二部品を介して前記情報を出力させる。
【発明の効果】
【０００６】
従来の技術と異なり、本発明の手持装置は、第一部品及び第二部品を備える。第一部品は、自動車を起動する車の鍵としての機能を備えるだけでなく、第二部品と通信する機能を備える。また、第二部品は、第一部品にはない機能、例えば、タッチパネル等による入力機能と、表示装置及びスピーカー等による出力機能を備える。従って、従来の携帯電話機が有する機能を大幅に省略できるので、第二部品のサイズをさらに小さくすることができるため携帯し易い。また、第一部品と第二部品とを一体に連接固定できるので、従来のように車の鍵及び携帯電話機を別々に携帯する必要はない。
【図面の簡単な説明】
【０００７】
【図１】本発明の実施形態に係る手持装置の運行環境を示す図である。
【図２】図１に示した手持装置の第一部品の機能モジュールを示す図である。
【図３】図１に示した手持装置の第二部品の機能モジュールを示す図である。
【図４】図１に示した手持装置の第二部品のグラフィカルユーザーインタフェースを示す図である。
【図５】図１に示した手持装置の第一部品の制御方法のフローチャートである。
【図６】図１に示した手持装置の第二部品の制御方法のフローチャートである。
【発明を実施するための形態】
【０００８】
図１に示すように、本発明の実施形態に係る手持装置１００は、第一部品１０と、第二部品２０と、無線通信モジュール９０（図２を参照）と、を備える。第一部品１０は、無線通信モジュール９０を介して第二部品２０と通信する。具体的には、第一部品１０と第二部品２０は、近距離無線通信（ＮＦＣ）、非接触ＩＣタグ（ＲＦＩＤ）、赤外線（ＩＲ）、ブルートゥース（Ｂｌｕｅｔｏｏｔｈ（登録商標））等の通信技術を介して互いに通信する。本実施形態において、第一部品１０は車の鍵とする。第二部品２０は携帯電話機或いはタブレットパソコン等の携帯式電子装置の外形を有し、第二部品２０は携帯電子機器とする。第一部品１０と第二部品２０は互いに分離可能に連接される。例えば、第一部品１０を嵌入或いは枢着の方法によって第二部品２０に連接させることができる。無線通信モジュール９０は、第一部品１０或いは第二部品２０の内部に取り外し可能に固定される。以下、無線通信モジュール９０を第一部品１０の内部に取り外し可能に固定することを例として、説明する。
【０００９】
第一部品１０は、自動車３０のドア（図示せず）をオープン／ロックし、且つ自動車３０のエンジン（図示せず）を起動／停止することに用いられる。具体的には、第一部品１０は、自動車３０のドアロックとの間で、近距離無線通信（例えば、赤外線通信）を介して通信するか又は従来の方式で前記ドアロックを解除する。第一部品１０は、通常の機械スイッチを介して自動車３０のエンジンを起動させるので、ここでの詳しい説明は省略する。また、第一部品１０は、ＧＳＭ（登録商標）及びＣＤＭＡ等の通信技術をサポートする。これにより、第一部品１０はネットワークに接続されて、電話をかける、音声情報及び文字情報を発信する等の機能を実現する。さらに、第一部品１０は、ＧＰＲＳ及びＷＬＡＮ等の無線ネットワーク技術をサポートする。これにより、第一部品１０は、ネットサーバ５０、自動車修理会社のサーバ６０或いはＧＰＳ衛星７０に接続されてネット情報を獲得する。例えば、第一部品１０は、ネットサーバ５０から音楽及び映画等のデータをダウンロードすることができ、自動車修理会社のサーバ６０からは修理会社の位置情報、サービス項目及び価格リストを獲得でき、さらにはＧＰＳ衛星７０から自動車３０の位置情報を獲得できる。また、第一部品１０は、対応する基地局８０を介して上記のネットワークとそれぞれ通信する。
【００１０】
以下、図２を参照しながら、第一部品１０の各種の機能モジュールについて詳細に説明する。第一部品１０は、第一電池モジュール１１と、第一無線通信ユニット１３と、鍵モジュール１８と、無線通信モジュール９０と電気的に接続するための接続ポート１９と、を備える。
【００１１】
第一電池モジュール１１は、第一無線通信ユニット１３、鍵モジュール１８及び無線通信モジュール９０にそれぞれ電気的に接続されて、第一無線通信ユニット１３、鍵モジュール１８及び無線通信モジュール９０に電気エネルギーを供給する。また、第一電池モジュール１１は、第一電池１１０及び第一表示ユニット１１２を備える。第一電池１１０は、電気エネルギーを提供するための蓄電池である。第一表示ユニット１１２は、第一電池１１０の電量を測定し、且つ第一電池１１０の電量が予定値より低い場合、注意信号を出力する。例えば、第一表示ユニット１１２は指示ランプ（図示せず）を備え、第一電池１１０の電量が前記予定値より低い場合、第一表示ユニット１１２の指示ランプは点滅する。
【００１２】
ユーザーが鍵モジュール１８にオープン指令を入力すると、鍵モジュール１８は第一無線通信ユニット１３を介して前記オープン指令を自動車３０に送信して、自動車３０のドア、窓或いはトランクを開けるように制御する。例えば、本実施形態において、鍵モジュール１８は、第一部品１０に設けられたボタンである。ユーザーは、鍵モジュール１８を押すことで、複数のオープン指令を入力することができる。
【００１３】
無線通信モジュール９０は第一部品１０の内部に設けられ、且つ接続ポート１９と電気的に接続される。無線通信モジュール９０は、第二無線通信ユニット１２と、第一データ処理ユニット１４と、ＳＩＭカード用コネクタ１５と、第一メモリー１６と、第三無線通信ユニット１７と、を備える。
【００１４】
ＳＩＭカードをＳＩＭカード用コネクタ１５に電気的に接続すると、第二無線通信ユニット１２はネットワークに接続されて、電話をかける、音声情報及び文字情報を発信する等の機能を実現できるようになる。
【００１５】
第一メモリー１６は、複数のユーザー応用プログラムを格納して特定の機能を実行する。前記ユーザー応用プログラムの例としては、ゲームプログラム、カレンダープログラム、オーディオ放送プログラム及び動画再生プログラム等が挙げられる。
【００１６】
第三無線通信ユニット１７は第二部品２０と通信を行なって、第二部品２０から送信された操作指令を受信する。この操作指令は、電話をかける指令、文字情報を送信する指令、電子メールを送信する指令等の通信指令である。又は、ゲーム指令、音楽再生指令、ビデオ放送指令、写真を撮る指令等のローカル機能指令である。又は、ウェブページをブラウズする、ファイルをダウンロードする、ソフトウェアを更新する等のインターネット指令であり、又は車両諮問指令、車両位置決め指令、車両監視指令等の車両制御指令を含む。
【００１７】
第一データ処理ユニット１４は、前記通信指令に応じて、第二無線通信ユニット１２を介して、電話をかける、音声／文字情報の送信等を行なう。
【００１８】
また、第一データ処理ユニット１４は、前記ローカル機能指令に応じて第一メモリー１６の中から対応するユーザー応用プログラムを呼び出して、ゲームする、カレンダーを表示する、音楽を再生する、ビデオを放送する等の機能を実行し、且つ対応するビデオ情報文字情報或いは音声情報を第二部品２０に送信する。
【００１９】
また、第一データ処理ユニット１４は、前記インターネット指令に応じて、第二無線通信ユニット１２を介してネットサーバ５０或いは自動車修理会社のサーバ６０から対応するネット情報を獲得して、且つ該ネット情報を第一メモリー１６の中に保存するか又は第三無線通信ユニット１７を介してこのネット情報を第二部品２０に送信する。
【００２０】
さらに、第一データ処理ユニット１４は、前記車両制御指令に応じて、自動車３０の中から車両の特徴情報を獲得し、第二無線通信ユニット１２を介してＧＰＳ衛星７０の中から車両の位置情報を獲得し、且つ得た車両の特徴情報及び位置情報を第三無線通信ユニット１７を介して第二部品２０に送信する。ここで、車両の特徴情報は、燃料の種類、油量、ブレーキの状況、タイヤの圧力、走行距離、冷却水の状況及び各種の警告情報（例えば、ガソリンがもうすぐなくなることを知らせる警告）等を含む。
【００２１】
図３に示すように、第二部品２０は、第二電池モジュール２１と、表示装置２２と、第四無線通信ユニット２３と、入力ユニット２４と、第二メモリー２５と、第二データ処理ユニット２６と、スピーカー２７と、ユーザーインタフェース提供ユニット２８と、音声採集ユニット２９と、を備える。
【００２２】
第二電池モジュール２１は、第二部品２０の他の機能モジュールに電気エネルギーを供給する。第二電池モジュール２１は、第二電池２１０及び第二表示ユニット２１１を備える。第二電池２１０は蓄電池であり電気エネルギーを提供するために用いられる。第二表示ユニット２１１は第二電池２１０の電量を測定し、且つ第二電池２１０の電量が予定値より低い場合、注意信号を出力し、且つ表示装置２２を介して前記注意信号を表示させる。
【００２３】
表示装置２２はビデオ信号を映像に転化して表示する。このビデオ信号は、静止画面、動態画像或いは文字情報等であることができる。入力ユニット２４は、第二部品２０に設けられた実体ボタン或いは表示装置２２に設けられタッチパネルである。第二メモリー２５は複数のユーザー応用プログラムを格納している。第二メモリー２５の中の複数のユーザー応用プログラムは、第一メモリー１６の中の複数のユーザー応用プログラムと全て異なっている。言い換えれば、第二メモリー２５のユーザー応用プログラムと第一メモリー１６のユーザー応用プログラムはそれぞれ異なる機能を実行する。スピーカー２７は、オーディオ信号を音声に変換して出力する。音声採集ユニット２９は、外界の音声を採集して、音声をオーディオ信号に変換する。
【００２４】
図４に示すように、ユーザーインタフェース提供ユニット２８は、グラフィカルユーザーインタフェース（ＧＵＩ）２８０を提供し、且つ表示装置２２を介して該グラフィカルユーザーインタフェース２８０を表示させる。これによって、ユーザーと第二部品２０との対話が容易になる。グラフィカルユーザーインタフェース２８０は、前記通信指令、前記ローカル機能指令、前記インターネット指令、前記車両制御指令にそれぞれ対応する複数の操作アイコン２８１を提供する。例えば、操作アイコン２８１は、前記通信指令に対応するダイヤルアイコン、ショートメールアイコン、ボイスメールアイコン等を含む。また、操作アイコン２８１は、前記ローカル機能指令に対応するゲーム機能アイコン、カレンダー機能アイコン、音楽再生アイコン、ビデオ放送アイコン等を含む。また、操作アイコン２８１は、前記インターネット指令に対応するウェブページアイコン及びインターネットチャットツールアイコン等を含む。操作アイコン２８１は、前記車両制御指令に対応する車両諮問アイコン、車両位置決めアイコン及び車両監視アイコン等を含む。ユーザーは、複数の操作アイコン２８１をクリックしてアクティブにすることで、対応するユーザー指令を生成する。例えば、ユーザーは、入力ユニット２４を使用して、複数の操作アイコン２８１をアクティブにすることができる。
【００２５】
第四無線通信ユニット２３は第三無線通信ユニット１７とマッチングする。第二データ処理ユニット２６は、生成されたユーザー指令が第二メモリー２５のユーザー応用プログラムに対応するローカル機能指令であるかどうかを判断する。生成されたユーザー指令が第二メモリー２５のユーザー応用プログラムに対応するローカル機能指令であれば、第二データ処理ユニット２６は、第二メモリー２５の中から対応するユーザー応用プログラムを呼び出して対応する機能を実行する。生成されたユーザー指令が第二メモリー２５のユーザー応用プログラムに対応するローカル機能指令でない場合、第二データ処理ユニット２６は第四無線通信ユニット２３を介して生成したユーザー指令を第一部品１０に送信して、第一部品１０を制御して対応する機能を実行させる（上述の内容を参照）。
【００２６】
また、第二データ処理ユニット２６は、第一部品１０から送信されたビデオ信号及びオーディオ信号を、表示装置２２及びスピーカー２７にそれぞれ送信することで、第一部品１０からの信号を画像、文字或いは音声の方式によって出力する。さらに、第二データ処理ユニット２６は、音声採集ユニット２９が採集したオーディオ信号を第一部品１０に送信する。
【００２７】
以下、電話をかけることを例として、第一部品１０と第二部品２０との間の動作過程或いはユーザーとの対話を説明する。
【００２８】
先ず、第二部品２０にダイヤルアイコンを含む初期グラフィカルユーザーインタフェースが表示され、ユーザーは第二部品２０の表示装置２２上のダイヤルアイコンをタッチして、電話番号を入力する。続いて、第二部品２０は、第四無線通信ユニット２３を介して、タッチされた番号を第一部品１０に送信する。続いて、第一部品１０は、第二無線通信ユニット１２を介して前記タッチされた番号を送信することで、電話をかける相手側（即ち、呼ばれる側、以下相手側と略称する）と接続する。第一部品１０と相手側との接続関係が確立されると、第一部品１０は通話待ち状態になった後、通話待ちのグラフィカルユーザーインタフェースを生成し、且つ呼び出し音を受信する。続いて、第一部品１０は、第三無線通信ユニット１７を介して、前記通話待ちのグラフィカルユーザーインタフェース及び前記呼び出し音を第二部品２０に送信する。第二部品２０は、前記通話待ちのグラフィカルユーザーインタフェースを表示し、且つ前記呼び出し音を鳴らす。相手側が応答すると、第一部品１０は通話状態となり、通話グラフィカルユーザーインタフェースを生成し、且つ相手側の声を受信する。続いて、第一部品１０は、第三無線通信ユニット１７を介して、前記通話グラフィカルユーザーインタフェース及び相手側の声を第二部品２０に送信する。第二部品２０は、前記通話グラフィカルユーザーインタフェースを表示し、且つ相手側の声を放送すると共に、音声採集ユニット２９を介して電話をかける側の声を採集した後に第一部品１０に送信する。第一部品１０の信号は、第二無線通信ユニット１２によって、相手側に送信される。また、通話が終了すると、第一部品１０及び第二部品２０の相手側との接続は切断され、第二部品２０は初期グラフィカルユーザーインタフェースを表示する。
【００２９】
本発明の手持装置１００を携帯する場合、容易に携帯できるように、第一部品１０と第二部品２０とを一体に連接する方が好ましいが、本発明の手持装置１００を使用する際は、第一部品１０と第二部品２０とを互いに分離させて、適当な位置にそれぞれセットすれば良い。例えば、第一部品１０を自動車３０の機械スイッチの内部に設置して、自動車３０を起動し、第二部品２０を自動車３０内における運転者が操作或いは見易い位置にセットする。
【００３０】
以下、図５及び図６を参照しながら、本発明の手持装置１００の制御方法のフローチャートについて詳細に説明する。手持装置１００の制御方法は、図５に示した第一部品１０の制御方法と、図６に示した第二部品２０の制御方法と、を備える。第一部品１０の制御方法と第二部品２０の制御方法は同時に起動される。
【００３１】
第一部品１０の制御方法は、以下のステップＳ５０１〜Ｓ５０７を備える。
【００３２】
ステップＳ５０１において、第一部品１０は、オープン指令或いは第二部品２０が生成した操作指令を受信したかどうかを判断する。
【００３３】
ステップＳ５０３において、第一部品１０は、オープン指令を受信すると、自動車３０にオープン指令を送信して、自動車３０の鍵を開ける。前記オープン指令は、鍵モジュール１８を押すことによって生成される。
【００３４】
ステップＳ５０５において、第一部品１０は、第二部品２０が生成した操作指令を受信すると、該操作指令に基づいて対応する機能を実行し、且つ対応する情報を生成する。
【００３５】
ステップＳ５０７において、前記情報を第二部品２０に送信して、第二部品２０を介して前記情報を出力する。前記情報はビデオ及びオーディオを含む。
【００３６】
第二部品２０の制御方法は、以下のステップＳ６０１〜Ｓ６１３を備える。
【００３７】
ステップＳ６０１において、第二部品２０は複数の操作アイコン及び複数のユーザー応用プログラムを提供する。前記複数の操作アイコンは、前記複数のユーザー応用プログラムにそれぞれ対応している。
【００３８】
ステップＳ６０３において、第二部品２０は前記複数の操作アイコンを表示する。
【００３９】
ステップＳ６０５において、第二部品２０は、操作アイコンがアクティブにされるかどうかを判断する。
【００４０】
ステップＳ６０７において、操作アイコンがアクティブにされた場合、第二部品２０は操作指令を生成する。
【００４１】
ステップＳ６０９において、第二部品２０は、アクティブにされた操作アイコンがユーザー応用プログラムに対応するかどうかを判断する。
【００４２】
ステップＳ６１１において、アクティブにされた操作アイコンがユーザー応用プログラムに対応しない場合、第二部品２０は第一部品１０に操作指令を送信する。
【００４３】
ステップＳ６１３において、アクティブにされた操作アイコンがユーザー応用プログラムに対応する場合、第二部品２０は対応する機能を実行し、且つ対応する情報を同時に出力する。
【００４４】
上記の実施形態から分かるように、本発明の手持装置１００は、第一部品１０及び第二部品２０を備える。第一部品１０は、自動車を起動する車の鍵としての機能を備えるだけでなく、第二部品２０と通信する機能を備える。また、第二部品２０は、第一部品１０にはない機能、例えば、タッチパネル等による入力機能と、表示装置及びスピーカー等による出力機能を備える。従って、従来の携帯電話機が有する機能を大幅に省略できるので、第二部品２０のサイズをさらに小さくすることができるため携帯し易い。また、第一部品１０と第二部品２０とを一体に連接固定できるので、従来のように車の鍵及び携帯電話機を別々に携帯する必要はない。また、無線通信モジュール９０は第一部品１０の中に分離可能に固定されるため、同一の無線通信モジュール９０を異なる自動車を起動する複数の第一部品１０の中に装着することができる。 
【００４５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００４６】
１０      第一部品
１１      第一電池モジュール
１２      第二無線通信ユニット
１３      第一無線通信ユニット
１４      第一データ処理ユニット
１５      ＳＩＭカード用コネクタ
１６      第一メモリー
１７      第三無線通信ユニット
１８      鍵モジュール
１９      接続ポート
２０      第二部品
２１      第二電池モジュール
２２      表示装置
２３      第四無線通信ユニット
２４      入力ユニット
２５      第二メモリー
２６      第二データ処理ユニット
２７      スピーカー
２８      ユーザーインタフェース提供ユニット
２９      音声採集ユニット
３０      自動車
５０      ネットサーバ
６０      自動車修理会社のサーバ
７０      ＧＰＳ衛星
８０      基地局
９０      無線通信モジュール
１００    手持装置
１１０    第一電池
１１２    第一表示ユニット
２１０    第二電池
２１１    第二表示ユニット
２８０    グラフィカルユーザーインタフェース
２８１    操作アイコン
【図１】
2014036441.tif 000003
【図２】
2014036441.tif 000004
【図３】
2014036441.tif 000005
【図４】
2014036441.tif 000006
【図５】
2014036441.tif 000007
【図６】
2014036441.tif 000008